(57)【特許請求の範囲】
【請求項１】
水槽本体(1) を構成する各側板面のうち主観賞面をガラス板(2) とし、残りの側板面をアクリル系樹脂板(3) とした観賞魚用水槽であって、アクリル系樹脂板(3) の接合側端縁に同材よりなる内向きの短庇板部(4) を設けて、ガラス板(2) をその先端外面が前記短庇板部(4) の先方内面に当接されてガラス板(2) の先端面とアクリル系樹脂板(3) との間に所要の隙間(5) が形成されるように配置し、このガラス板(2) とアクリル系樹脂板(3) とを前記隙間(5) に一部(6a)を介入させてガラス板(2) とアクリル系樹脂板(3) により形成される隅角部を埋めたシリコン樹脂系接合材(6) により接合一体化し、さらに、前記隙間(5) 内において、アクリル系樹脂板(3) の端部内面に短庇板部(7) の内面にわたるアクリル系樹脂系の凸段部(7) を設けてあることを特徴とする観賞魚用水槽。
【請求項２】
水槽本体(1) を構成する各側板面のうち主観賞面をガラス板(2) とし、残りの側板面をアクリル系樹脂板(3) とした観賞魚用水槽であって、アクリル系樹脂板(3) の接合側端縁に同材よりなる内向きの短庇板部(4) を設けて、ガラス板(2) をその先端外面が前記短庇板部(4) の先方内面に該先端外面と短庇板部(4)の先方内面との間に接着層(6b)を介入させて当接されてガラス板(2) の先端面とアクリル系樹脂板(3) との間に所要の隙間(5) が形成されるように配置し、このガラス板(2) とアクリル系樹脂板(3) とを前記隙間(5) に一部(6a)を介入させてガラス板(2) とアクリル系樹脂板(3) により形成される隅角部を埋めたシリコン樹脂系接合材(6) により接合一体化し、さらに、前記隙間(5) 内において、アクリル系樹脂板(3) の端部内面に短庇板部(7) の内面にわたるアクリル系樹脂系の凸段部(7) を設けてあることを特徴とする観賞魚用水槽。
【請求項３】
水槽本体(1) の前側面のみがガラス板(2) よりなる主観賞面とされ、残りの各側板面は全てアクリル系樹脂板(3) よりなるものとした請求項１または２に記載の観賞魚用水槽。
【発明の詳細な説明】
【０００１】
【発明の属する技術分野】
本発明は、観賞魚用水槽の改良に関するものである。
【０００２】
【従来の技術】
従来の観賞魚用水槽としては、ガラス製のものとアクリル樹脂製のものとが普通であった。しかしながら、前者のガラス製のものは、吸湿による変形がなくて観賞性に優れたものであり、また、ガラスは硬質で傷付きにくいために掃除もし易いなどの長所を有する反面、周辺機器接続のために配管用の孔加工が困難であったり、大型なものは重量が重いなどの欠点をもつものであった。一方、後者のアクリル樹脂製のものは、周辺機器接続のために配管用の孔加工などの加工性がよく、また、大型なものでも重量が軽いなどの長所を有する反面、吸湿による膨らみ生じるために観賞性に劣り、また、傷が付き易く掃除にも手数を要するなどの欠点を有するものであった。
【０００３】
【発明が解決しようとする課題】
本発明解決しようとするところは前記のようなガラス製のものとアクリル樹脂製のものとが具備している欠点をなくし、両者が具備している長所のみを兼ね備えた観賞魚用水槽を提供することにある。
【０００４】
【課題を解決するための手段】
前記のような問題を解決するためになされた本発明の観賞魚用水槽は、水槽本体を構成する各側板面のうち主観賞面をガラス板とし、残りの側板面をアクリル系樹脂板とした観賞魚用水槽であって、アクリル系樹脂板の接合側端縁に同材よりなる内向きの短庇板部を設けて、ガラス板をその先端外面が前記短庇板部の先方内面に当接されてガラス板の先端面とアクリル系樹脂板との間に所要の隙間が形成されるように配置し、このガラス板とアクリル系樹脂板とを前記隙間に一部を介入させてガラス板とアクリル系樹脂板により形成される隅角部を埋めたシリコン樹脂系接合材により接合一体化し、接合強度をよりたかめるために、前記した隙間内において、アクリル系樹脂板の端部内面に短庇板部の内面にわたるアクリル系樹脂系の凸段部を設けたものを請求項１の発明とする。また、請求項２に記載の発明のように、ガラス板をその先端外面が前記短庇板部の先方内面に先方内面との間に接着層を介入させて当接した構成としてもよい。なお、ガラス板よりなる主観賞面は複数の側面に形成してもよいが、主たる観賞面である水槽本体の前側面のみをガラス板よりなる主観賞面とし、残りの各側板面は全てアクリル系樹脂板よりなるものとして軽量化を図ったものを請求項３の発明とする。
【０００５】
【発明の実施の形態】
次に、本発明の好ましい実施形態を図を参照して説明する。１は４側面と底面を構成する各別の板材を接合一体化した水槽本体で、図示するものは、主たる観賞面である前側板のみをガラス板２よりなる主観賞面とし、残りの後側板と左右の側板は全てアクリル系樹脂板３よりなるものとしてあるが、前後側面を共に主観賞面とする場合には、前後側面をガラス板２よりなるものとし、左右側面をアクリル系樹脂板３よりなるものとしてもよい。
【０００６】
前記したアクリル系樹脂板３は、そのガラス板２との接合側端縁に同材よりなる帯板をアクリル系樹脂用の接着剤により接着して設けた内向きの短庇板部４を有するものとしてある。そして、このアクリル系樹脂板３によって後側板と左右の側板をその端部においてアクリル系樹脂用の接着剤により接着するとともに、前側板のみはガラス板２としてこれを対向する左右の側板であるアクリル系樹脂板３、３の前端間に配置する。この場合、ガラス板２はその先端外面が両アクリル系樹脂板３に設けられている前記した短庇板部４の先方内面に当接された状態として、ガラス板２の両先端面と左右の側板であるアクリル系樹脂板３との間にそれぞれ所要の隙間５が形成されるように配置する。さらに、隙間５内において、アクリル系樹脂板２の端部内面から短庇板部４の内面にわたる部分に接合強度をより優れたものとするための凸段部７が設けられるように、前記したアクリル系樹脂板２や短庇板部４と同材であるアクリル系樹脂よりなる帯板をアクリル系樹脂用の接着剤により接着してある。なお、前記ガラス板２の先端外面と短庇板部４の先方内面との間に接着層６ｂを介入させたものとしてもよい。
【０００７】
そして、このガラス板２とアクリル系樹脂板３とは、両板により形成される隅角部を埋めてその一部６ａを前記した隙間５に介入させているシリコン樹脂系接合材６により接合一体化してある。この場合、前記した凸段部７は必ずしもなくてもよいが、前記したような凸段部７を設けておけば、一部６ａが前記した隙間５に介入させた状態でガラス板２とアクリル系樹脂板３との接合箇所である隅角部を埋めているシリコン樹脂系接合材６が碇状となって、水槽本体１の内部からガラス板２とアクリル系樹脂板３へ加えられる水圧に対してより優れた耐圧強度を有することとなるので一層好ましい。なお、隙間５に介入させているシリコン樹脂系接合材６の一部６ａは、図２に示すように、ガラス板２の先端外面と短庇板部４の先方内面との間にも介入されて両者を接着する接着層６ｂを形成するようにしても、図3に示すように、ガラス板２の先端内面と短庇板部４の先方内面との間には介入されることない状態としてもよい。
【０００８】
このように構成されたものは、水槽本体１を構成する各側板面のうち主観賞面をガラス板２とし、残りの側板面をアクリル系樹脂板３としたものであるから、ガラス板２よりなる主観賞面が吸湿などで変形することがなくて観賞性に優れたものとなるうえに、ガラス板２は硬くて傷付きにくいために簡単な手数で効率よく汚れを落すことのできることとなって管理性にも優れたものとなる。さらに、主観賞面以外は軽量なアクリル系樹脂板３よりなるものとしたので、全体として軽くて取扱性がよく、さらに、アクリル系樹脂板３は孔加工性もよいので、周辺機器接続のために配管用の孔加工が容易であり、比較的安価に製造できる利点もある。
【０００９】
また、ガラス板２は、接合側端縁に同材よりなる内向きの短庇板部４を設けてあるアクリル系樹脂板３、３間に、このガラス板２の先端外面が短庇板部４の先方内面に当接されてガラス板２の先端面とアクリル系樹脂板３との間に所要の隙間５が形成されるように配置されたうえ、この隙間５に一部６ａを介入させてガラス板２とアクリル系樹脂板３とにより形成される隅角部を埋めているシリコン樹脂系接合材６によりアクリル系樹脂板３に接合一体化してであるから、ガラス板２とアクリル系樹脂板３とは接着性の悪い異質の材料であるにもかかわらず、的確な接合状態が得られて水圧により接合箇所に接合不良が生じることがない。
【００１０】
特に、隙間５内において、アクリル系樹脂板３の端部内面に短庇板部４の内面にわたるアクリル系樹脂系の凸段部７を設けておいたものでは、接合箇所のシリコン樹脂系接合材６による接合部分は接合面積の広い碇状の接合面のために、内部からの水圧に耐える極めて強固な接合状態を確保できることとなり、接合箇所から漏水する虞のないものとなり、耐久性は一層向上することとなる。
【００１１】
【発明の効果】
本発明は以上の説明から明らかなように、水槽本体を構成する各側板面のうち主観賞面をガラス板とし、残りの側板面をアクリル系樹脂板としたので、軽量で取扱性がよいうえに主観賞面が吸湿などで変形することがなくて観賞性に優れたものとなり、しかも、主観賞面が傷付きにくいので簡単な手数で効率よく汚れを落すことのできるなどとなって管理性にも優れたものとなる。さらに、主観賞面を構成するガラス板は、接合側端縁に同材よりなる内向きの短庇板部を設けたアクリル系樹脂板間において、先端外面が短庇板部の先方内面に当接されてガラス板の先端面とアクリル系樹脂板との間に所要の隙間が形成されるように配置されたうえ、前記隙間に一部を介入させてガラス板とアクリル系樹脂板により形成される隅角部を埋めたシリコン樹脂系接合材により接合一体化したことにより、ガラス板とアクリル系樹脂板とが接着性の悪い異質の材料であるにもかかわらず、的確な接合状態が得られて水圧により接合箇所に接合不良が生じることがなく、長期耐用できるものとなる。よって、本発明は従来の観賞魚用水槽の問題点を解決したものとして、業界にもたらすところ極めて大きいものである。
【図面の簡単な説明】
【図1】本発明の実施形態を示す一部切欠斜視図である。
【図2】本発明の実施形態の要部を示す断面図である。
【図3】本発明の実施形態の他例の要部を示す断面図である。
【図4】図3における圧力関係を示す説明図である。
【図5】本発明と従来のものとの重量を比較して示すグラフである。
【図6】本発明と従来のものとの性能を比較して示す図である。
【符号の説明】
１ 水槽本体
２ ガラス板
３ アクリル系樹脂板
４ 短庇板部
５ 間隙
６ シリコン樹脂系接合材
6a シリコン樹脂系接合材の一部
７ 凸段部
【図１】
0003988985.tif 000002
【図２】
0003988985.tif 000003
【図３】
0003988985.tif 000004
【図４】
0003988985.tif 000005
【図５】
0003988985.tif 000006
【図６】
0003988985.tif 000007